(57)【要約】【課題】  プリント処理の料金を確実に回収するシステムを構成する。【解決手段】  記録媒体の画像情報と顧客のオーダ情報とを取得する受付部Ａを備え、受付部Ａから伝送される画像情報とオーダ情報とに基づいてプリント処理を行うプリント装置Ｂを備え、プリント処理物を収納する複数の保管庫Ｃａを形成した保管ユニットＣを備え、受付部Ａでは顧客からのプリント処理の注文を受けた際に、料金を請求する料金生成手段と、支払いを受ける料金受領手段Ｆとを備え、この料金受領手段Ｆで料金の支払いがあった場合に、保管庫Ｃａの開錠を行うパスワードを出力するよう構成した。【選択図】        図１
2005071235.tif 000002
【特許請求の範囲】
【請求項１】
記憶媒体に担持された画像情報のプリント処理を受け付ける受付部を備え、プリント処理後のプリント処理物を受け渡す受け渡し部を備えている画像処理システムであって、
前記受付部は、前記記憶媒体に担持された画像情報を取得する画像取得手段と、画像情報及び各種情報を表示するディスプレイと、顧客の操作情報を入力する入力手段と、料金を受け入れる料金受領手段とを備えて構成され、前記受け渡し部は開錠情報に基づいて開放可能な扉を有した保管庫を備えて構成され、
前記受付部は、前記画像取得手段で取得した記憶媒体の画像情報を前記ディスプレイに表示した状態で前記入力手段からの操作情報に基づいてオーダ情報を取得するオーダ情報取得手段と、このオーダ情報に基づいて料金を求め、この料金の支払いを求める情報を前記ディスプレイに表示する料金生成手段と、この支払いを求めた料金が前記料金受領手段によって受領した場合に前記保管庫の扉の開錠を実現する前記開錠情報を設定する開錠情報設定手段とを備えている画像処理システム。
【請求項２】
前記受付部は、受領書出力機構を備えており、プリント処理を受け付ける際には、前記オーダ情報生成手段が、画像情報とオーダ情報との取得に必要な一連の操作情報を前記ディスプレイに表示し、オーダ情報の取得の後には、前記料金生成手段が、料金の額を前記ディスプレイに表示して確認を求め、顧客が前記入力手段から確認情報を入力した後に前記ディスプレイに料金の支払いを求める表示を行い、この後、前記料金受領手段で適正な料金を受領した場合には、前記受領書出力機構で受領書を出力すると共に、前記開錠情報設定手段は、前記受領書に対して前記開錠情報と、プリント処理物の受け渡し開始日時情報とをプリントする処理を実行するよう構成されている請求項１記載の画像処理システム。
【請求項３】
前記画像取得手段は、記憶媒体にデジタル信号化して保存された画像情報を取り出すメディアドライブを備える、又は、現像処理後の感光材料の画像情報を光電変換によって取り出すスキャナを備えている請求項１又は２記載の画像処理システム。
【請求項４】
前記受付部は、前記複数の保管庫の近傍に配置され、プリント処理の受け付けの後には前記開錠情報設定手段で設定した開錠情報を保存し、その開錠情報に対応するプリント処理物が保管庫に保管された場合には、その保管庫と、既に保存している開錠情報とを関連付ける処理を行い、前記受付部の入力手段に前記開錠情報の入力があった場合には、関連付けた保管庫の扉の開錠を行う保管庫管理手段を備えている請求項１〜３のいずれか１項に記載の画像処理システム。
【請求項５】
前記受付部と、プリント処理を行うプリント装置とが通信回線を介して接続されると共に、このプリント装置からのプリント処理物を収納可能な場所に前記保管庫が配置され、前記受付部は、オーダ情報と画像情報とを前記通信回線を介してプリント装置に伝送する伝送処理手段を備えている請求項１〜３のいずれか１項に記載の画像処理システム。
【請求項６】
前記保管庫が複数箇所に配置され、前記受付部でプリント処理を受け付ける際には、前記受付部が複数の保管庫の所在をディスプレイで選択可能に表示し、この表示に基づいて保管庫のいずれか１つが選択された場合には、選択された保管庫に対応するプリント装置に対して前記オーダ情報と画像情報とを伝送するよう前記伝送処理手段が構成されている請求項５記載の画像処理システム。
【請求項７】
前記受付部と前記保管庫とが互いに離間する複数箇所に配置され、複数の受付部と複数の保管庫との間で情報の伝送を行うサーバが設置され、このサーバは、受付部からの要求により保管庫の所在を示す情報を受付部に伝送し、この受付部からの指定情報に基づいてオーダ情報と画像情報とを指定された保管庫に対応するプリント装置に伝送するよう前記伝送処理手段が設定されている請求項５記載の画像処理システム。
【発明の詳細な説明】
【技術分野】
【０００１】
本発明は、記憶媒体に担持された画像情報のプリント処理を受け付ける受付部を備え、プリント処理後のプリント処理物を受け渡す受け渡し部を備えている画像処理システムに関する。
【背景技術】
【０００２】
上記のように構成された画像処理システムに関連する技術として以下のものが存在する。この技術では、自動受付部と自動受渡部とを備えており、自動受付部にはモニタと情報入力部とオーダ情報出力部と記録媒体受入部とを有し、自動受渡部にはロック可能なドアーを備えている。そして、顧客がフィルムの処理を依頼する場合には、顧客が情報入力部のキーボードの預入れボタンを操作し、モニタに表示された操作手順に基づいて情報入力部からプリント処理を指定する情報を入力し、顧客自身の電話番号などの情報を入力し、フィルムを収納袋に収納した状態でフィルム受入部（記録媒体受入部）に入れることにより、オーダ情報出力部からオーダ情報が印字された磁気カード型のオーダカードがプリントアウトされる。このように受け入れたフィルムは写真店や取次店がオーダ情報に基づいてプリント処理を行い、プリント処理物を前記収納袋に収納された状態で保管室に入れるものとなり、この後、顧客がプリント処理物を受け取る場合には、オーダカードをオーダ情報確認部に挿入することによりモニタに料金が表示され、このように表示された料金を料金受領部に支払うことにより、オーダに対応する保管庫の番号がモニタに表示されると共に、保管庫のドアーのロックが解除され、顧客がプリント処理物を受け取り得るものとなっている。また、この技術では、フィルムに代えてメモリースティック等の記録媒体の画像情報のプリントを依頼することも可能であり、その依頼を行う場合には、記録媒体を記録媒体読取部（記録媒体受入部）に挿入することにより画像情報が読み取られる操作形態となるものの基本的な処理形態は変わらない（例えば、特許文献１参照）。
【０００３】
【特許文献１】特開２００３‐１５７４７４号公報  （段落番号〔００１４〕〜〔００６６〕、図１〜図５）
【発明の開示】
【発明が解決しようとする課題】
【０００４】
特許文献１に示される技術では、ＤＰ店の営業時間外でも現像処理の受付と受渡しとを自動で行えるシステムであるので、ＤＰ店の売り上げを増大させ、顧客の利便性を高めると云う有用性を発揮するものである。しかしながら、特許文献１に示される技術では、プリント処理の仕上がりの後に料金を支払うシステムであるため、例えば、顧客がプリント処理を依頼したことを忘れてしまった場合には、装置を管理する者が顧客に電話等によってプリント処理物の受け取りを依頼する連絡を行うことが必要となり、また、プリント処理を依頼した後にプリント処理物を受け取る意志がなくなった顧客には対処できないものであった。
【０００５】
特許文献１に示される技術では、ＤＰ店の店頭で従業員と顧客とが対面して受け付けるものではないため、メモリースティック等の記録媒体の画像情報をプリントする場合に、誤った操作により大量の枚数のプリント処理を依頼することも考えられ、このような誤った操作を発見し難いものであった。特に、特許文献１に示される技術では、プリント処理物を受け取る意志がないにも拘わらず大量のプリント処理を悪意で依頼する者に対処できないものであり、システムを管理する者の利益から考えると改善の余地があった。
【０００６】
本発明の目的は、誤った操作を発見を容易にすると共に、プリント処理の料金を確実に回収するシステムを合理的に構成する点にある。
【課題を解決するための手段】
【０００７】
本発明の特徴は、記憶媒体に担持された画像情報のプリント処理を受け付ける受付部を備え、プリント処理後のプリント処理物を受け渡す受け渡し部を備えている画像処理システムにおいて、前記受付部は、前記記憶媒体に担持された画像情報を取得する画像取得手段と、画像情報及び各種情報を表示するディスプレイと、顧客の操作情報を入力する入力手段と、料金を受け入れる料金受領手段とを備えて構成され、前記受け渡し部は開錠情報に基づいて開放可能な扉を有した保管庫を備えて構成され、前記受付部は、前記画像取得手段で取得した記憶媒体の画像情報を前記ディスプレイに表示した状態で前記入力手段からの操作情報に基づいてオーダ情報を取得するオーダ情報取得手段と、このオーダ情報に基づいて料金を求め、この料金の支払いを求める情報を前記ディスプレイに表示する料金生成手段と、この支払いを求めた料金が前記料金受領手段によって受領した場合に前記保管庫の扉の開錠を実現する前記開錠情報を設定する開錠情報設定手段とを備えている点にある。
【０００８】
この構成により、記憶媒体に担持された画像情報のプリント処理を行う場合には、記憶媒体の画像情報を画像取得手段で取得してディスプレイに表示した状態で顧客の操作情報を入力手段から取り込むことにより、顧客がプリントすべき画像情報を確認しながらプリントサイズやプリント枚数等の情報を入力できるものとなり、この入力に基づいてオーダ情報生成手段がオーダ情報を生成するものとなる。そして、このオーダ情報が生成された後には、料金生成手段が料金を求める情報をディスプレイに表示し、この表示の後、料金受領手段によって料金を受領した場合には、開錠情報設定手段が保管庫の開錠を実現する開錠情報（例えば、パスワード）を設定するので、プリント処理物が仕上がった後には、顧客が、開錠情報に基づいて保管庫の扉を開くことによりプリント処理物を取得できるものとなる。つまり、顧客がプリント処理を依頼した場合には、表示されたプリント処理の料金から誤った依頼を把握できるものとなり、このシステムを運営する者の立場からするとプリント処理物を受け取る意志のある顧客からのプリント処理を受けるものとなる。その結果、誤った操作の発見を容易にすると共に、プリント処理の料金を確実に回収できるシステムが合理的に構成された。
【０００９】
本発明は、前記受付部が、受領書出力機構を備えており、プリント処理を受け付ける際には、前記オーダ情報生成手段が、画像情報とオーダ情報との取得に必要な一連の操作情報を前記ディスプレイに表示し、オーダ情報の取得の後には、前記料金生成手段が、料金の額を前記ディスプレイに表示して確認を求め、顧客が前記入力手段から確認情報を入力した後に前記ディスプレイに料金の支払いを求める表示を行い、この後、前記料金受領手段で適正な料金を受領した場合には、前記受領書出力機構で受領書を出力すると共に、前記開錠情報設定手段は、前記受領書に対して前記開錠情報と、プリント処理物の受け渡し開始日時情報とをプリントする処理を実行するよう構成しても良い。
【００１０】
この構成により、プリント処理を受け付ける際には、オーダ情報生成手段がディスプレイに対して操作情報を表示することにより、顧客は、操作情報に従った操作により容易に必要な情報を入力できるものとなる。次に、ディスプレイに表示される料金の額を顧客が確認でき、しかも、この確認の後に顧客が料金を支払うことにより受領書が出力されると共に、この受領書に対して開錠情報と、プリント処理物の受け渡し開始日時情報とがプリントされるので、顧客がプリント処理物を受け取る際にも正確な開錠情報を入力できるものとなる。その結果、プリント処理の依頼を容易に行えるばかりでなく仕上がったプリント処理物の受け取りも確実に行えるものとなった。
【００１１】
本発明は、前記画像取得手段が、記憶媒体にデジタル信号化して保存された画像情報を取り出すメディアドライブを備える、又は、現像処理後の感光材料の画像情報を光電変換によって取り出すスキャナを備えても良い。
【００１２】
この構成により、半導体メモリ等の記憶媒体に保存された画像情報のプリント処理を行う場合には、メディアドライブによって画像情報を取り出し、現像処理後の感光材料の画像情報のプリント処理を行う場合には、スキャナでの光電変換によって画像情報を取り出すものとなる。その結果、デジタルカメラで撮影された画像情報でも、ネガフィルムや印画紙上の画像情報でもプリント処理を行えるものとなった。
【００１３】
本発明は、記受付部が、前記複数の保管庫の近傍に配置され、プリント処理の受け付けの後には前記開錠情報設定手段で設定した開錠情報を保存し、その開錠情報に対応するプリント処理物が保管庫に保管された場合には、その保管庫と、既に保存している開錠情報とを関連付ける処理を行い、前記受付部の入力手段に前記開錠情報の入力があった場合には、関連付けた保管庫の扉の開錠を行う保管庫管理手段を備えても良い。
【００１４】
この構成により、プリント処理の受け付けを行った後には、保管庫管理手段が開錠情報を受付部において保存し、保管庫にプリント処理物を保管する際には、その保管庫と、保存している開錠情報とを関連付けることにより、受付部の入力手段から開錠情報を入力した場合には、対応する保管庫の扉の開錠を実現する。その結果、比較的簡単な情報の処理によって、開錠情報を入力するためのキーボード類を保管庫に備えずともプリント処理物の受け渡しを行えるものとなった。
【００１５】
本発明は、前記受付部と、プリント処理を行うプリント装置とが通信回線を介して接続されると共に、このプリント装置からのプリント処理物を収納可能な場所に前記保管庫が配置され、前記受付部は、オーダ情報と画像情報とを前記通信回線を介してプリント装置に伝送する伝送処理手段を備えても良い。
【００１６】
この構成により、受付部で受け付けたオーダ情報と画像情報とをプリント装置に対して通信回線を介して伝送することにより、受付部とプリント装置とが離間する位置関係にある場合でも、プリント装置において容易にプリント処理を行い、このプリント装置でプリントしたプリント処理物を簡単に保管庫に保管できる。つまり、受付部とプリント装置とが比較的離間した位置関係にある場合でも、具体的には旅行先や出張先に設置された受付部に対してプリント処理に必要な操作を行った場合でも、自宅の近くの保管庫でプリント処理物を受け取ることも可能になる。その結果、受付部と保管庫とを距離的に制約させることがなく、受付部で受け付けた画像情報を保管庫に保管して顧客に受け渡すことが可能となった。
【００１７】
本発明は、前記保管庫が複数箇所に配置され、前記受付部でプリント処理を受け付ける際には、前記受付部が複数の保管庫の所在をディスプレイで選択可能に表示し、この表示に基づいて保管庫のいずれか１つが選択された場合には、選択された保管庫に対応するプリント装置に対して前記オーダ情報と画像情報とを伝送するよう前記伝送処理手段を構成しても良い。
【００１８】
この構成により、受付部でプリント処理を受け付ける際には、受付部と離間する複数箇所に設置された保管庫の１つを指定することにより、顧客が必要とする位置の保管庫を介してプリント処理物を受け取ることが可能となる。その結果、プリント処理物を受け取り得る範囲を広くできるものとなった。
【００１９】
本発明は、前記受付部と前記保管庫とが互いに離間する複数箇所に配置され、複数の受付部と複数の保管庫との間で情報の伝送を行うサーバが設置され、このサーバは、受付部からの要求により保管庫の所在を示す情報を受付部に伝送し、この受付部からの指定情報に基づいてオーダ情報と画像情報とを指定された保管庫に対応するプリント装置に伝送するよう前記伝送処理手段が設定しても良い。
【００２０】
この構成により、受付部と保管庫とを任意に選択できるので、何れの受付部でプリント処理の受け付けを行った場合でも、この受付部からの画像情報とオーダ情報とをサーバが顧客が指定する保管庫に対して伝送することにより、広範な領域に設置された受付部で受け付けた画像情報を、広範な領域に設置された保管庫に保管することが可能となる。その結果、プリント処理を受け付け得る範囲を広くし、かつ、プリント処理物を受け取り得る範囲を広くすることにより利用しやすいものとなった。
【発明を実施するための最良の形態】
【００２１】
以下、本発明の実施形態を図面に基づいて説明する。
〔第１実施の形態〕
図１又は図２に示すように、記憶媒体Ｍに担持された画像情報のプリント処理を受け付ける受付部Ａと、この受付部Ａで受け付けた画像情報をプリントするプリント装置Ｂと、このプリント部Ｂで仕上げたプリント処理物Ｐを保管する複数の保管庫Ｃａ（受け渡し部の一例）を形成した保管ユニットＣとを備えて画像処理システムが構成されている。
【００２２】
この画像処理システムは、顧客が受付部Ａにおいて必要な操作を行うことにより記憶媒体Ｍに担持された画像情報と、プリント処理に必要なオーダ情報とを該受付部Ａで取得する処理を行うと共に、この受付部Ａにおいてプリント処理の料金を受領する処理を行い、また、この受付部Ａから通信ラインＬ１を介してプリント装置Ｂに対して画像情報とオーダ情報との伝送を行い、この後、このシステムを運営するオペレータが画像情報とオーダ情報とに基づきプリント装置Ｂで銀塩印画紙（プリント処理物Ｐ）にプリント処理を行い、このオペレータがプリント処理物Ｐを保管庫Ｃに保管する作業を行った後に、顧客が保管庫Ｃａからプリント処理物Ｐを取り出すことにより、そのプリント処理物Ｐを顧客に受け渡すよう機能するものである。
【００２３】
前記受付部Ａは、記憶媒体Ｍの画像情報を取得する画像取得手段Ｔとして、デジタルカメラで撮影した画像情報を保存する半導体型の記憶媒体Ｍから画像情報を取得するメディアドライブ１と、ＣＤやＣＤ−ＲＯＭに保存された画像情報を取得するメディアドライブ２と、印画紙にプリントされた写真等から画像情報を光電変換によって取得するフラットベッド型のスキャナ３とを備え、また、表示面にタッチパネル４（入力手段の一例）を形成した液晶型のディスプレイ５を備え、料金受領手段Ｆとして紙幣の挿入部７Ａ、硬貨の投入孔７Ｂ、釣り銭の戻し部７Ｃを形成した料金受領ユニット７、及び、カード挿入部８Ａを形成したカードリーダ８を備え、更に、受領書としてのレシートＲ（図３を参照）を出力する受領書出力機構１０を備えている。尚、半導体型の記憶媒体Ｍとして、コンパクトフラッシュ（登録商標）や、スマートメディア（登録商標）、あるいは、メモリースティック（登録商標）等を想定しており、スキャナ３は原稿台３Ａと開閉自在なカバー３Ｂとを備えている。図面には示していないが、画像取得手段として、現像済みの写真フィルムの画像情報を光電変換によって取得するフィルムスキャナを備えても良く、このフィルムスキャナを備えることによりピースネガ等から画像情報を容易に取得できるものとなる。
【００２４】
前記保管ユニットＣに形成される複数の保管庫Ｃａは等しく構成されている。つまり、保管庫Ｃａは保管ユニットＣを構成する筐体１１に形成した複数の保管空間の開口側に開閉自在に扉１２を備え、この扉１２を閉じ状態に維持するロック機構１３と、夫々の保管庫Ｃａの位置を示すランプ１４とを備えており、このロック機構１３は電磁ソレノイドの作動によりロック状態とロック解除状態とに切換え自在に構成されている。また、この扉１２の外面に保管庫Ｃａを特定し得る番号を記している。
【００２５】
前記プリント装置Ｂは、デジタルミニラボと称せられるものであり、オペレート部Ｂａとプリント部Ｂｂとを備えている。オペレート部Ｂａは、デスク部２１に対して写真フィルム２２のコマ画像の情報を光電変換によりデジタル信号化して取り込むフィルムスキャナ２３と、処理情報を表示するディスプレイ２４と、画像処理と各種の処理とを実現するよう汎用コンピュータで成る処理装置２５とを配置し、デスク部２１の上面に情報を入力するためのキーボード２６と、マウス２７とを備えている。前記処理装置２５の内部には情報を保存する半導体メモリやハードディスク等（図示せず）を備えている。
【００２６】
前記処理装置２５は、ディスプレイ２４に表示された情報に従って各種の処理を前記キーボード２６やマウス２７の操作により実現するインターフェースを具備すると共に、前記フィルムスキャナ２３によって取り込んだ画像情報、あるいは、前記受付部Ａの前記画像取得手段Ｔで取得した画像情報をディスプレイ２４に表示した状態で補正処理を行うソフトウエア、及び、画像情報とプリントサイズやプリント枚数等のオーダ情報をプリント部Ｂｂに通信ラインＬ２を介して伝送することによりプリント部Ｂｂでのプリント処理を実現するソフトウエアがインストールされている。
【００２７】
前記プリント部Ｂｂは、レーザ走査型の露光エンジンを備えた露光ブロックＥｘと、複数の現像処理槽を備えた現像ブロックＤｅと、乾燥ブロックＤｒとを筐体３０に収納して成ると共に、筐体３０の外部には、処理の後に筐体３０の上部から水平方向に送り出されるプリント処理物Ｐとしての銀塩印画紙を搬送するベルト搬送機構３１を備え、このベルト搬送機構３１から送られる印画紙をオーダ単位で仕分けて集積する複数のトレー３２を有したソータ３３を備えている。
【００２８】
この画像処理システムは前記受付部Ａにおいて、顧客が以下の手順で操作することにより、記憶媒体の画像情報からプリントされたプリント処理物Ｐを保管庫Ｃａを介して受け取り得るものとなっており、その構成ならびに使用形態を以下に説明する。
【００２９】
前記受付部Ａは、図４に示すように、マイクロプロセッサ、半導体メモリ、ハードディスク、情報のアクセスを可能にするインタフェース等を有した制御装置３５を備えており、この制御装置３５に対して前記２種のメディアドライブ１、２及びフラットベッドスキャナ３からの情報が入力する信号系を形成し、前記ディスプレイ５に必要な情報を出力する信号系と、タッチパネル４からの信号を入力する信号系とを形成し、前記料金受領ユニット７に対する信号のアクセス系、及び、前記カードリーダ８に対する信号のアクセス系を形成し、受領書出力機構１０に対する信号系を形成している。また、この制御装置３５は前記保管庫Ｃａのロック機構１３とランプ１４との間に信号系を形成してあり、更に、前記プリント装置Ｂのオペレート部Ｂａに対する信号系を形成している。
【００３０】
また、この制御装置３５には、前記画像収録手段Ｔで記憶媒体Ｍから取得した画像情報を制御装置３５の半導体メモリやハードディスクに保存する画像保存処理手段と、受付部Ａにおいて設定されたプリントサイズやプリント枚数等のオーダ情報を取得するオーダ情報取得手段と、オーダ情報に基づいて料金を生成する料金生成手段と、保管庫Ｃａの扉１２の開錠を実現する前記開錠情報を設定する開錠情報設定手段と、オーダ情報、画像情報等の情報をプリント装置Ｂに通信ラインＬ１を介して伝送する伝送処理手段と、開錠情報が入力された際に保管庫Ｃａの開錠を行う保管庫管理手段とがソフトウエアの形態で保存されている。尚、これらの手段はハードウエア、あるいは、ハードウエアとソフトウエアとの組合わせで構成することも可能である。
【００３１】
この画像処理システムでは、プリント処理を受け付ける際には、受付部Ａのディスプレイ５に対して操作方法を示す一連の操作情報が表示され、これに従って顧客が操作を行うことにより受付処理を実現し、この後、顧客が保管庫Ｃａからプリント処理物Ｐを受け取る際にも受付部Ａのディスプレイ５に表示される操作情報に従って顧客が操作を行うことで受け取りを実現するものであり、その操作形態を以下に説明する。
【００３２】
つまり、図５に示すように、顧客Ｕがデジタルカメラに使用される半導体型の記憶媒体Ｍに保存された画像情報のプリントを行う場合には、図９（ａ）に示すように、受付部Ａのディスプレイ５に表示されている初期画面の「プリント」スイッチと「受け取り」スイッチとのうち、「プリント」スイッチを選択して操作することにより、プリントを注文する処理が開始される（Ｓ０１）。この注文の処理時には、図９（ｂ）に示すように、記憶媒体Ｍ（メディア）のセットを求める案内情報が表示され、この表示に従ってメディアドライブ１に対して記憶媒体Ｍをセットすることにより、図９(ｃ)に示すように、記憶媒体Ｍから取得された全ての画像情報が一覧化された状態でディスプレイ５に表示され、この表示に基づいてプリント対象を設定し、プリント枚数を設定することにより、図９（ｄ）に示すように、注文したサイズと枚数と料金がディスプレイ５に表示される。これらの処理のうち、一連の操作情報をディスプレイ５に表示することにより記憶媒体Ｍの画像情報をメディアドライブ１から取得する処理は前記オーダ情報取得処理手段によって実現される。尚、ディスプレイ５に表示されるスイッチとは、表示された部位に指を接触させることによりタッチセンサ４が操作を検出できるものを指している。
【００３３】
この表示に誤りがなければ、図９（ｄ）に示す「ＯＫ」スイッチを操作することにより、料金の支払いを求めるメッセージが表示され（Ｓ０２）、この表示に従って料金を支払うことにより（Ｓ０３）、図９（ｅ）に示すように、注文が終了したことを示すメッセージが表示され、これと同時に、仕上がり日、オーダ番号、パスワード（開錠情報）がディスプレイに表示され、更に、支払った料金と、仕上がり日、オーダ番号、パスワードがプリントされた受領書として図３に示すレシートＲが出力される（Ｓ０４）。この処理のうち、料金を生成する処理は料金生成手段によって実現され、パスワード（開錠情報）を設定する処理は開錠情報設定手段によって実現され、パスワードは開放情報設定手段がランダムに発生させた複数桁の数値に基づいて設定されたものである。図面には示していないが、開錠情報として所定のデータを生成すると共に、このデータをバーコード化してレシートＲにプリントすることも考えられる。このように開錠情報をバーコード化してレシートＲにプリントするものでは、注文したプリント処理物Ｐを保管庫Ｃａから受け取る場合において、例えば、フラットベッド型のスキャナ３や専用のスキャナによって、レシートＲにプリントされたバーコードデータを読み取ることにより、顧客がパスワードを入力する操作を行わずとも保管庫Ｃａの扉１２のロック解除を行うことが可能となる。
【００３４】
また、料金の支払いは、料金受領ユニット７に対して現金を支払うことや、カードリーダ８に対してクレジットカードや、キャッシュカードを挿入することで実現するものである。前記オーダ番号は受付部Ａにおいて自動的に生成されるものであり、オーダを識別し得る番号を想定しているが、注文時の操作に手間が掛かるものであるが、顧客Ｕの名前を付した識別情報であっても良い。前記パスワードは受付部Ａにおいてランダムに数値を生成するものを想定しているが、アルファベット等の文字情報を含むものであっても良く、顧客Ｕが任意に入力した数値や文字をパスワードとして用いるよう前記開錠情報設定手段の処理形態を設定しても良い。このように、図９（ａ）〜（ｆ）に示される処理が前記一連の操作情報に対応する。
【００３５】
この注文時における前記制御装置３５での処理の概要を図６のフローチャートのように表すことが可能である。つまり、受付処理では、ディスプレイ５に対して初期画面を表示し（＃１０１ステップ）、受付開始時には画像情報を取得する処理を行い、オーダ情報を取得する処理を行い、料金受領処理を行う（＃１０２〜＃１０４ステップ・＃２００ステップ）。尚、記録媒体Ｍとして、印画紙にプリントされた写真の場合には、フラットベッドスキャナ３によって光電変換によって画像情報が取得される。
【００３６】
料金受領処理（＃２００ステップ）はサブルーチンとしてセットされたものであり、図７のフローチャートに示すように、前述したオーダ情報に基づいて料金を算出すると共に、この算出結果に基づきディスプレイ５に対して料金の支払い額を表示すると同時に、図９（ｄ）に示すように、確認のために「ＯＫ」スイッチと、誤りがあった場合に再設定を実現するための「戻る」スイッチとを表示し、「ＯＫ」スイッチが操作された場合には次の制御に移行し、「ＯＫ」スイッチが操作されず、「戻る」スイッチが操作された場合には、オーダ情報取得処理（＃１０４ステップ）の処理に戻る処理が行われる（＃２０１〜＃２０４ステップ）。
【００３７】
前述のように「ＯＫ」スイッチが操作された場合には、支払いを求めるメッセージを表示し、支払いがあった場合には、オーダ番号とパスワードとを生成して保存し、受領確認情報をディスプレイ５に表示し、かつ、受領書Ｒを出力する（＃２０５〜＃２０９ステップ）。
【００３８】
次に、料金受領処理によって料金を受領した後には、プリント装置Ｂに対して画像情報とオーダ情報と、オーダ番号と、パスワードとを通信ラインＬ１を介してプリント装置Ｂに伝送する処理を行って受付処理を終了する（Ｓ０５：＃１０５ステップ）。このように受付部Ａからプリント装置Ｂに対して情報を伝送する処理は伝送処理手段によって実現される。
【００３９】
このように受付部Ａからプリント装置Ｂに対して情報が伝送された場合には、オペレータがオペレート部Ｂａを操作してプリント処理を実行するものとなり、このプリント処理を実行する場合にはオーダ番号を付した処理袋３６を新たに作り、プリント処理物Ｐを処理袋３６に収めるものとなる。そして、このようにプリント処理物Ｐを収めた処理袋３６をオペレータが保管庫Ｃａに保管する操作を行う（Ｓ０６）。
【００４０】
この保管時において受付部Ａに対して行われる操作を図８のフローチャートのように表すことが可能である。つまり、この保管ルーチンでは、オペレータが受付部Ａに対して所定の操作を行うことにより、ディスプレイ５に対してオーダ番号入力画面が表示される（＃３０１ステップ）。図面には示さないが、このオーダ番号入力画面はディスプレイ５に対してキーボードを表示する形態となっており、このキーボードを操作する形態でタッチパネル４に触れることにより、オーダ番号が取り込まれ、適正な情報（既に受付たものと合致するもの）の入力があった場合にのみ、対応するパスワードをディスプレイ５に表示する（＃３０２〜＃３０４ステップ）。このようにパスワードが表示された場合には、オペレータがオーダ番号とパスワードとを対応させることにより、誤った操作を排除できるものにしている。このようにパスワードの表示があった場合には、ディスプレイ５に表示された確認用のスイッチをオペレータが操作する形態での確認を行わせ、確認があった場合には使用されていない保管庫Ｃａの１つの扉１２のロック機構１３を解除作動させることにより開錠を行うと同時に、その保管庫Ｃａに対応するランプ１４を点滅させることにより、オペレータに対して保管庫Ｃａの位置を認識させ（＃３０５、＃３０６ステップ）、その保管庫Ｃａにプリント処理物Ｐを収納した処理袋３６を保管できるものにしている。このように保管庫Ｃａに対してプリント処理物Ｐを収納した後には、オペレータが扉１２をロックすることにより保管が完了したものであると制御装置３５が認識するものとなっている（＃３０７ステップ）。
【００４１】
このように、注文したプリント処理物Ｐが保管庫Ｃａに保管された後において顧客Ｕがプリント処理物Ｐを受け取る場合には、図１０（ａ）に示すように、受付部Ａのディスプレイ５に表示されている初期画面の「受け取り」スイッチを顧客Ｕが操作することにより、図１０（ｂ）に示すように、パスワード入力画面が表示され、顧客Ｕが画面中のキーボードを操作する形態でパスワードを入力することにより（Ｓ０９）、そのパスワードに対応したプリント処理物Ｐが収納されている保管庫Ｃａのロックを解除し（Ｓ１０）、対応するランプ１４を点滅させ、「Ｎｏ○○に保管しています」等のメッセージと、「ランプが点滅している扉を開いて取り出して下さい」等のメッセージをディスプレイ５に表示することにより顧客Ｕがプリント処理物Ｐの受け取りを行えるものにしている（Ｓ１１）。前述したようにプリント処理物Ｐを保管庫Ｃａに保管する際にオーダ番号とパスワードとに基づいて確認を行う処理、及び、パスワードに基づいて保管庫Ｃａからプリント処理物Ｐを取り出しを許す処理は保管庫管理手段によって実現される。
【００４２】
このように構成したので、本発明では、顧客Ｕの立場からすると、受付部Ａに記憶媒体Ｍをセットして、ディスプレイ５に表示される一連の操作情報に従って操作を行うことにより、記憶媒体Ｍに担持された画像情報に基づいたプリント処理の注文を行え、この注文時には受付部Ａにおいて料金が表示されるので、誤操作があった場合でも表示内容からプリント処理枚数等のオーダの誤りを認識できるものになっている。また、注文を行った際にはレシートＲ（受領書）に対してパスワードがプリントされるので、この注文の後に、プリント処理物Ｐを受け取る場合には、レシートＲにプリントされたパスワードを入力することにより、間違いなくプリント処理物Ｐの受け取りを実現するものとなっている。また、このシステムを運用する者の立場からすると、受付時にも受け渡し時にも顧客Ｕと対面しなくて済むので営業時間に制約されない営業を可能にすると共に、注文時に料金の支払いを求めるので、受け取る意志のない者からのプリントの注文を排除できるものにでき、プリント処理を行う場合にも、受付部Ａから伝送されるオーダ情報と画像情報とに基づき、殆ど手間を掛けることのない作業を実現するものにしており、更に、プリント処理物Ｐを保管庫Ｃａに保管する場合には、受付部Ａがオーダ番号とパスワードとに基づいて確認を行った後に、オーダ番号とパスワードとに基づいて関連付けた１つの保管庫Ｃａの扉１２を開くので、誤った保管を行うことが無いものにしているのである。
【００４３】
〔第２実施の形態〕
本発明は、以下のように実施することも可能である（この第２実施の形態では前記第１実施の形態と同じ機能を有するものに対して、第１実施の形態と共通の番号、符号を付している）。
【００４４】
図１１に示すように、通信回線としてのインターネットＮにＷｅｂサーバとして機能する管理サーバＤを接続し、このインターネットＮに対して複数の受付部Ａと複数のプリント装置Ｂを接続し、夫々のプリント部Ｂから情報が送られる保管ユニットＣを備えて画像処理システムを構成する。この画像処理システムでは、前記受付部Ａと保管ユニットＣとは比較的広範な地域に分散して配置されるものであり、顧客Ｕが特定の受付部Ａで注文したプリント処理物Ｐを、顧客Ｕが指定した保管庫Ｃａで受け取り得るよう構成されたものである。
【００４５】
つまり、この画像処理システムでは、受付部Ａとプリント装置Ｂとは、前述した実施の形態に示したものと基本的に同じ機能を具備したものであるが、保管庫Ｃａはタッチパネルを形成したディスプレイ４０を有している。前記管理サーバＤは汎用コンピュータと同様に、サーバー本体４５とディスプレイ４６とキーボード４７とを備えている。また、サーバ本体４５にはインターネットＮを介して送られる情報の処理を行うＣＧＩ（Common Gateway Interface）等のインタフェースを備えている。
【００４６】
この画像処理システムでの受付処理を図１２のフローチャートのように示すことが可能である。つまり、この受付処理では、受付部Ａのディスプレイ５に対して初期画面を表示し（＃４０１ステップ）、顧客Ｕの操作に基づいて受付を開始した際には、受付部Ａが自動的に管理サーバＤにログインして受け渡し可能な場所情報を取得し、このように取得した情報に基づいて受け渡し可能な場所情報を地図で示す形態でディスプレイ５に表示する。この表示に基づいて顧客Ｕが受け渡し場所の指定を指定した場合には、その受け渡し場所情報を取得する（＃４０２〜＃４０４ステップ）。具体的な処理形態として、受け渡し可能な場所情報を取得する際には、受付部Ａが管理サーバＤのＵＲＬ（Uniform Resource Locater）を指定してログインし、その受付部Ａを識別する情報と場所情報を要求する情報とを管理サーバＤに受け渡す。このようにログインがあった場合に管理サーバＤはＨＴＭＬ（Hyper Text Markup Language）形式で地図情報と画面にスイッチ類を表示する情報とを受付部Ａに伝送する処理を実行するものとなり、受付部ＡではＷｅｂブラウザによりディスプレイ５に対して地図情報とスイッチ類を表示する処理を行うのである。このように受け渡し可能な場所情報を取得し、その場所情報がディスプレイ５に表示された後には、顧客Ｕが地図上の場所を指定することにより、タッチパネル４からの信号に基づいて場所を特定する情報（指定情報）が取得され、この情報をブラウザが管理サーバＤに伝送するものとなり、管理サーバＤで必要な処理を実行するものとなる。
【００４７】
次に、受付部Ａにおいて、記憶媒体Ｍから画像情報を取得する処理を行い、オーダ情報を取得する処理を行い、料金受領処理を行う（＃４０５、＃４０６ステップ・＃２００ステップ）。この処理は前記第１実施の形態において説明したものと同様であり、画像情報を取得する処理において、記憶媒体Ｍが半導体型である場合には、メディアドライブ１に記憶媒体Ｍをセットした後、ディスプレイ５に表示される操作を行うことにより、先ず、記憶媒体Ｍに保存されていた画像情報が一覧化された状態でディスプレイ５に表示され、この表示に基づいてプリント対象の指定を行い、そのプリント対象のプリントサイズ、プリント枚数等の指定を行うことにより、受付部Ａにおいて画像情報とオーダ情報とが取得されるのである。記録媒体Ｍとして、印画紙にプリントされている写真の場合には、フラットベッドスキャナ３によって光電変換によって画像情報が取得される。
【００４８】
前記料金受領処理（＃２００ステップ）での処理形態は前記第１実施の形態において説明したものと同様の処理が行われるが、レシートＲに対して、プリント処理物Ｐを受け取るべき保管ユニットＣの所在を示す情報がプリントされている点が異なる。そして、料金受領処理が終了した場合には、受け渡し場所に対応するプリント装置Ｂに対して画像情報とオーダ情報と、オーダ番号と、パスワードとをインターネットＮを介して伝送する処理を行った後に、管理サーバＤからログアウトして処理は終了する（＃４０７、＃４０８ステップ）。
【００４９】
このように説明した受付処理は、受付部Ａにセットしたソフトウエアと管理サーバＤに対してＣＧＩとしてセットされたソフトウエアとの双方の処理によって実現するものである。また、管理サーバＤを備えたことにより、受付部Ａからプリント処理物Ｐを保管する保管庫Ｃａに対応するプリント装置Ｂを抽出する処理を迅速に行い、また、受け渡し情報を取得する場合にも新たに増設された保管ユニットＣの設置場所も誤り無く取得できるものにしている。
【００５０】
前述のように画像情報、オーダ情報等が伝送されたプリント部Ｂではオペレータが、画像情報とオーダ情報とに基づきオペレート部Ｂａを操作してプリント処理を実行するものとなり、このプリント処理を実行する場合にはオーダ番号を付した処理袋３６を作り、プリント処理物Ｐを処理袋３６に収めるものとなる。また、この処理が終了した際には、オーダ番号と、パスワードとがプリント装置Ｂから保管ユニットＣに伝送する処理が実行される。そして、このようにプリント処理物Ｐを収めた処理袋３６をオペレータが保管庫Ｃａに保管する際の操作も、保管ユニットＣに備えたディスプレイ４０を介して第１実施の形態に示した処理と同様の処理を行うことによって、プリント処理物Ｐを誤りなく保管庫Ｃａに保管できるものにしている。
【００５１】
この後、顧客Ｕがプリント処理物Ｐを受け取る場合には、顧客Ｕが指定した保管ユニットＣにおいてディスプレイ４０からパスワードを入力することにより、その顧客Ｕが注文したプリント処理物Ｐが保管された保管庫Ｃａの扉１２のロック機構１３のロックが解除され、ランプ１４が点滅することにより、その保管庫Ｃａからプリント処理物Ｐを受け取り得るものとなっている。
【００５２】
このように第２実施の形態では、例えば、旅行においてデジタルカメラで撮影された画像情報のプリントを、旅行先の受付部Ｂにおいて注文する処理を行い、この注文時に自宅の近くにある保管庫Ｃａにおいて受け取るよう設定することが可能となり、旅行時の移動時間を有効に利用してプリント処理物Ｐを受け取り得るのである。特に、管理サーバＤを介して受付部Ａと保管ユニットＣの設置場所の情報を取得するので、保管ユニットＣを増設した場合や変更した場合でも、管理サーバＤに保存する情報を更新するだけで全ての受付部Ａに対応できるものとなる。
【００５３】
特に、この第２実施の形態では、第１実施の形態で示したように受付部Ａと保管ユニットＣとが一体化した構造ものを用いることも可能であり、この構造のものを用いた場合には、受け取り場所として、注文した場所を指定することも可能となる。
【図面の簡単な説明】
【００５４】
【図１】第１実施の形態の画像処理システムの構成図
【図２】第１実施の形態の保管ユニットの一部と受付部とを示す斜視図
【図３】第１実施の形態の受領書を示す図
【図４】第１実施の形態のシステムの制御系を示すブロック回路図
【図５】第１実施の形態の操作の手順を示す図
【図６】第１実施の形態の受付処理を示すフローチャート
【図７】第１実施の形態の料金受領処理を示すフローチャート
【図８】第１実施の形態の保管ルーチンを示すフローチャート
【図９】第１実施の形態の受付処理におけるディスプレイの表示内容を示す図
【図１０】第１実施の形態の受け渡し時におけるディスプレイの表示内容を示す図
【図１１】第２実施の形態における画像処理システムの構成図
【図１２】第２実施の形態の受付処理を示すフローチャート
【符号の説明】
【００５５】
１            メディアドライブ
３            スキャナ
４            入力手段
５            ディスプレイ
１０          受領書出力機構
１２          扉
Ａ            受付部
Ｃ            受け渡し部
Ｆ            料金受領手段
Ｍ            記憶媒体
Ｎ            通信回線
Ｐ            プリント処理物
Ｔ            画像取得手段
【図１】
2005071235.tif 000003
【図２】
2005071235.tif 000004
【図３】
2005071235.tif 000005
【図４】
2005071235.tif 000006
【図５】
2005071235.tif 000007
【図６】
2005071235.tif 000008
【図７】
2005071235.tif 000009
【図８】
2005071235.tif 000010
【図９】
2005071235.tif 000011
【図１０】
2005071235.tif 000012
【図１１】
2005071235.tif 000013
【図１２】
2005071235.tif 000014